(57)【要約】      （修正有）【課題】調節が容易な階段昇降用多機能歩行器を提供する。【解決手段】ハンドルパイプ１と、ハンドルパイプ同士を連結するフロントスタンドパイプ２と、ハンドルパイプの両端に覆設される調整管３と、調整管上に設けられる位置決め穴６と、ハンドルパイプの二つの端部に取り付けられるギヤボックス４と、ギヤボックス内に取り付けられる可動部材、回転部品および回転可動部と、を備えている。回転部品が回転すると可動部材に圧着して可動部材を縮退させ、回転可動部が上昇すると回転部品を回転させる。ハンドルパイプの頂部に調整部材５を設置し、調整ボタンが動作すると回転可動部を引っ張って上昇させる。このため、ハンドルパイプ上の調整管の高さを簡単に調節することができ、身長の異なる患者でも使用することができ、前後の二組の調整管を調整して高度差を形成することにより、階段昇降補助機能を実現することができる。【選択図】図３
0003196955.tif 000002
【実用新案登録請求の範囲】
【請求項１】
対向して配置される一対のＵ字状のハンドルパイプと、一対の前記ハンドルパイプを連結するフロントスタンドパイプと、前記ハンドルパイプの両端に覆設される調整管と、前記調整管上に軸方向に沿って設けられる複数の位置決め穴と、を備えた階段昇降用多機能歩行器であって、
前記ハンドルパイプの両端には、ギヤボックスが設けられ、
前記ギヤボックス内には、可動部材、回転部品および回転可動部が設けられ、
前記可動部材の一端は、前記位置決め穴に挿入可能な凸状に形成され、他端は、圧縮バネを介して前記ギヤボックス上に当接され、
前記回転部品は、前記ギヤボックス上に枢結され、回転すると前記可動部材に圧着して前記可動部材を縮退させ、
前記回転可動部は、前記回転部品に当接しながら前記ギヤボックス内において可動自在に設けられ、前記回転可動部が上昇すると前記回転部品を回転させ、
前記ハンドルパイプの頂部には、調整部材が設けられ、前記ハンドルパイプ内を貫通する投げ縄により前記調整部材と前記回転可動部とが連結され、
前記調整部材が動作すると前記回転可動部を引っ張って上昇させる、
ことを特徴とする階段昇降用多機能歩行器。
【請求項２】
前記回転可動部は、前記投げ縄の末端に連結された端子と、前記端子の上方に位置して前記投げ縄上に逐次覆設された微調整ネジと、微調整ナットと、接触バネとを有し、
前記微調整ナットは、前記微調整ネジに螺接され、
前記接触バネは、前記回転部品に当接される、
ことを特徴とする請求項１に記載の階段昇降用多機能歩行器。
【請求項３】
前記調整部材は、ボタンと、内部可動部材と、一組の内部圧力部材とを有し、
前記内部可動部材は、前記ボタンの下側に設けられ、前記ボタンを押すと押圧され、
前記一組の内部圧力部材は、前記ハンドルパイプ内に枢結され、前記ハンドルパイプの両端に位置する前記投げ縄とそれぞれ連結され、前記内部可動部材の下方に位置する加圧アームを有し、
前記内部可動部材が押圧されると、前記加圧アームを介して前記内部圧力部材が回転し、前記投げ縄を引っ張って前記回転可動部を上昇させる、
ことを特徴とする請求項１に記載の階段昇降用多機能歩行器。
【請求項４】
前記フロントスタンドパイプの両端は、前記ハンドルパイプの上方の水平部分にそれぞれ軸設され、
前記フロントスタンドパイプは、伸縮可能に構成され、
一対の前記ハンドルパイプに対応する位置には、前記ハンドルパイプに対して回転可能なサイド支持管がそれぞれ覆設され、
二つの前記サイド支持管の間には、フロント支持管が連結されている、
ことを特徴とする請求項１に記載の階段昇降用多機能歩行器。
【請求項５】
前記サイド支持管には、水平に配置した回転スロットが設けられ、
前記ハンドルパイプ上には、取出穴が設けられ、
前記ハンドルパイプ内には、前記取出穴を貫通して前記回転スロットに挿入可能な弾発部材が設けられ、
前記サイド支持管及び前記ハンドルパイプは、それぞれ、前記弾発部材によって上下位置で固定され、
前記弾発部材は、前記サイド支持管が前記ハンドルパイプに対して回転すると前記回転スロットの中で移動する、
ことを特徴とする請求項４に記載の階段昇降用多機能歩行器。
【請求項６】
前記ハンドルパイプの両端の間には、Ｕ字状の補強管が設けられている、
ことを特徴とする請求項１に記載の階段昇降用多機能歩行器。
【請求項７】
前記調整管の底部には、ゴムパッドとゴムパッド内に内装されたユニバーサルボールが設けられている、
ことを特徴とする請求項１に記載の階段昇降用多機能歩行器。
【考案の詳細な説明】
【技術分野】
【０００１】
本考案は、リハビリテーション補助装置等の階段昇降用多機能歩行器に関するものである。
【背景技術】
【０００２】
歩行器とは、身体障害者、足を負傷した患者、および行動の不自由な高齢者が使用する機器であり、人体を補助して体重を支えることができ、人体のバランスを確保して、前記患者等の歩行を補助するものである。
【０００３】
上記歩行器として、例えば、伸縮可能なものが知られている（特許文献１参照）。特許文献１に記載の歩行器は、４つの脚の高さを簡単に調節できるとともに、身長の異なる使用者の需要を満たすことが可能であり、また、調節前後の両組の支持脚の高度差を利用して階段を昇降できるように構成されている。また、特許文献１に記載の歩行器では、高度調節機構が採用されている。この高度調節機構は、支持脚に設置されているが、高度調節制御機構は、歩行器の頂端部分に設置されているので、調節する際、当該制御機構を押すだけで簡単に調節でき、足の不自由な患者も自力で高度を簡単に調節することができるようになっている。
【先行技術文献】
【特許文献】
【０００４】
【特許文献１】中国特許第２００８２００４８００９号明細書
【考案の概要】
【考案が解決しようとする課題】
【０００５】
但し、この製品で採用した高度調節機構は斜面と斜面を通じて伝動し、使用の際、指に多くの力を加えなければ調節できないため、高齢者や患者にとっては大いに不便であるといった問題があった。
【０００６】
以上の問題に対して、本考案は、調節が容易な階段昇降用多機能歩行器を提供することを目的とする。
【課題を解決するための手段】
【０００７】
本考案に係る階段昇降用多機能歩行器は、対向して配置される一対のＵ字状のハンドルパイプと、一対の前記ハンドルパイプを連結するフロントスタンドパイプと、前記ハンドルパイプの両端に覆設される調整管と、前記調整管上に軸方向に沿って設けられる複数の位置決め穴と、を備えた階段昇降用多機能歩行器であって、前記ハンドルパイプの両端には、ギヤボックスが設けられ、前記ギヤボックス内には、可動部材、回転部品および回転可動部が設けられ、前記可動部材の一端は、前記位置決め穴に挿入可能な凸状に形成され、他端は、圧縮バネを介して前記ギヤボックス上に当接され、前記回転部品は、前記ギヤボックス上に枢結され、回転すると前記可動部材に圧着して前記可動部材を縮退させ、前記回転可動部は、前記回転部品に当接しながら前記ギヤボックス内において可動自在に設けられ、前記回転可動部が上昇すると前記回転部品を回転させ、前記ハンドルパイプの頂部には、調整部材が設けられ、前記ハンドルパイプ内を貫通する投げ縄により前記調整部材と前記回転可動部とが連結され、前記調整部材が動作すると前記回転可動部を引っ張って上昇させることを特徴とする。
【０００８】
本考案の好ましい実施形態として、前記回転可動部は、前記投げ縄の末端に連結された端子と、前記端子の上方に位置して前記投げ縄上に逐次覆設された微調整ネジと、微調整ナットと、接触バネとを有し、前記微調整ナットは、前記微調整ネジに螺接され、前記接触バネは、前記回転部品に当接される。
【０００９】
本考案の好ましい実施形態として、前記調整部材は、ボタンと、内部可動部材と、一組の内部圧力部材とを有し、前記内部可動部材は、前記ボタンの下方に設けられ、前記ボタンを押すと押圧され、前記一組の内部圧力部材は、前記ハンドルパイプ内に枢結され、前記ハンドルパイプの両端に位置する前記投げ縄とそれぞれ連結され、前記内部可動部材の下方に位置する加圧アームを有し、前記内部可動部材が押圧されると、前記加圧アームを介して前記内部圧力部材が回転し、前記投げ縄を引っ張って前記回転可動部を上昇させる。
【００１０】
本考案の好ましい実施形態として、前記フロントスタンドパイプの両端は、前記ハンドルパイプの上方の水平部分にそれぞれ軸設され、前記フロントスタンドパイプは、伸縮可能に構成され、一対の前記ハンドルパイプに対応する位置には、前記ハンドルパイプに対して回転可能なサイド支持管がそれぞれ覆設され、二つの前記サイド支持管の間には、フロント支持管が連結されている。
【００１１】
本考案の好ましい実施形態として、前記サイド支持管には、水平に配置した回転スロットが設けられ、前記ハンドルパイプ上には、取出穴が設けられ、前記ハンドルパイプ内には、前記取出穴を貫通して前記回転スロットに挿入可能な弾発部材が設けられ、前記サイド支持管及び前記ハンドルパイプは、それぞれ、前記弾発部材によって上下位置で固定され、前記弾発部材は、前記サイド支持管が前記ハンドルパイプに対して回転すると前記回転スロットの中で移動する。
【００１２】
本考案の好ましい実施形態として、前記ハンドルパイプの両端の間には、Ｕ字状の補強管が設けられている。
【００１３】
本考案の好ましい実施形態として、前記調整管の底部には、ゴムパッドとゴムパッド内に内装されたユニバーサルボールが設けられている。
【考案の効果】
【００１４】
本考案は、ハンドルパイプ上の調整管の高さを簡単に調節することができ、身長の異なる患者が使用でき、前後の二組の調整管を調整して高度差を形成して、歩行器の階段昇降補助機能を実現することができる。本考案は、回転可動部の上昇を通じて回転部品を回転させ、更には、可動部材を引き込むことにより、可動部材の凸部を調整管の位置決め穴から脱離させる。このため、あまり大きな力を必要とせず、患者による使用を極めて容易にすることができる。
【図面の簡単な説明】
【００１５】
【図１】本考案に係る使用状態を示す立体図である。
【図２】本考案に係る折りたたみ状態を示す立体図である。
【図３】本考案に係る分解構造を示す図である。
【図４】本考案に係るギヤボックスの分解状態の構造を示す図である。
【図５】本考案に係るギヤボックスの断面図であり、その動作原理を示している。
【図６】本考案に係る調整部材の分解状態の構造を示す図である。
【図７】本考案に係る調整部材の断面図であり、その動作原理を示している。
【図８】本考案に係る歩行器を利用して、階段を昇降する際の使用状態を示す図である。
【考案を実施するための形態】
【００１６】
図１から図８を参照しながら本考案の実施形態を説明する。本考案の歩行器（階段昇降用多機能歩行器）には、主にハンドルパイプ１、フロントスタンドパイプ２、調整管３、ギヤボックス４および調整部材５が含まれている。行動の不自由な患者や高齢者は、本考案を利用して一人で歩行したり、立ったまま休憩することができ、また、使用者自身の身長に基づいて歩行器の高さを調節することができる。調節を通じて、歩行器の前後両端に高度差を形成し、使用者の階段の昇降を補助することができる。
【００１７】
具体的に言えば、本考案にはＵ字型に形成されたハンドルパイプ１が２つあり、２つのハンドルパイプ１は、対向して設置されている。フロントスタンドパイプ２は、２つのハンドルパイプ１の間に取り付けられており、支持の役割を果たす。調整管３は、４個あり、それぞれハンドルパイプ１上に被されている。調整管３には、軸方向に分布した位置決め穴６が設置され、調整管３は、位置決め穴６を通じてハンドルパイプ１の端部に設置されたギヤボックス４と結合している。調整管３を異なる高さに固定させることにより高度（高さ）の調節が実現される。
【００１８】
図４及び図５に示すように、ギヤボックス４は、２つのハーフボックスが結合して形成されており、ハンドルパイプ１の端部には、ネジ穴が設置され、ギヤボックス４は、両側に位置したＣ状フラップ７を通じて前記ネジ穴に固定される。ギヤボックス４内には、可動部材８、回転部品９および回転可動部が設置され、回転可動部には、端子１０、微調整ネジ１１、微調整ナット１２および接触バネ１３が含まれる。可動部材８の一端には、調整管３上の位置決め穴６に挿入可能な凸部が形成され、可動部材８の他端は、圧縮バネ１４を介してギヤボックス４に当接する。回転部品９は、ギヤボックス４に枢結する。回転可動部は、外部まで延長された投げ縄１５によって引っ張られ、その中の端子１０は、投げ縄１５の末端に設置され、微調整ネジ１１、微調整ナット１２および接触バネ１３は、端子１０の上方に逐次位置しながら、投げ縄１５を覆う。接触バネ１３は、回転部品９に当接する。
【００１９】
図５を参照しながら本考案の実施形態を説明する。使用の際、投げ縄１５は、外力によって上方へ引っ張られ、端子１０が同時に上昇し、回転可動部が動作する。回転可動部が接触バネ１３を通じて回転部品９へ力を与え、回転部品９を回転させる（図中の回転方向は反時計回り）。回転部品９は、可動部材８に圧力を加えて引き込ませ（図中の引き込み方向は左側）、可動部材８の凸部をギヤボックス内に収めて、位置決め穴６から脱離させる。この状態になると、調整管３の高さを調節することができる。投げ縄１５に対する外力が消失すると、圧縮バネ１４と接触バネ１３の作用によってすべての部品が自動的に元の位置に戻る。
【００２０】
図５に示すように、可動部材８の位置は、接触バネ１３によって決まる。微調整ネジ１１と微調整ナット１２の締め距離を調整することで、接触バネ１３の高さが調節でき、よって可動部材８の位置を調整することもできる。可動部材８が動作できない場合や凸部が突出する程度が足りない場合、微調整ネジ１１と微調整ナット１２の締め具合を通じて可動部材８を調整することができ、出荷時の製品の調整と、使用中に発生する故障の修理にも対応できる。
【００２１】
ギヤボックス４の構造に基づいて、調整部材５は、ただ投げ縄１５を引っ張って上昇する機能のみを具備しても良い。調整部材５をハンドルパイプ１の頂部に設置し、投げ縄１５がハンドルパイプ１を貫通してそれと連結する。調整部材５が頂部に位置しているので、使用者は、簡単に操作することができる。
【００２２】
図６及び図７に示すように、調整部材５には、ボタン１６、内部可動部材１７および内部圧力部材１８が含まれる。ボタン１６はハンドルパイプ１の外部に露出し、使用者によって操作される。内部可動部材１７は、ボタン１６の下方に設置され、ボタン１６を押すと内部可動部材１７も押される。各ハンドルパイプ１内の内部圧力部材１８は、２つあり、両端の投げ縄１５とそれぞれ連結して、一つの調整部材５で二つの調整管３を同時に制御する機能を実現する。内部圧力部材１８は、ハンドルパイプ１内に枢結され、回転することができる。内部圧力部材１８には、内部可動部材１７の下方に位置する加圧アームが設置されている。図７に示すように、ボタン１６を押すと、内部可動部材１７が押され、両側の内部圧力部材１８の加圧アームも同時に押される。この時、左側の内部圧力部材が時計回りに回転し、右側の内部圧力部材が反時計回りに回転し、２つの内部圧力部材の回転によって投げ縄１５が引っ張られて上昇して、調整動作を実現する。
【００２３】
本考案の歩行器は、好ましくは、占めるスペースを小さくするために、折りたたみ可能に設計される。図１から図３に示すように、フロントスタンドパイプ２の両端は、ハンドルパイプ１上方の水平部分に軸着し、フロントスタンドパイプ２は、伸縮可能な構造になっている。２つのハンドルパイプ１の適切な位置には、ハンドルパイプに対して回転できるサイド支持管１９をそれぞれ被せ、２つのサイド支持管１９の間には、フロント支持管２０が連結される。ハンドルパイプ１とサイド支持管１９とは、弾発部材２５で連結される。ハンドルパイプ１上に開設した取出穴を通じて、弾発部材２５が、ハンドルパイプ１とサイド支持管１９とを上下位置で固定する。折りたたむ必要がある場合は、折りたたみ部品２４を押して、弾発部材２５を弾け出し、２つのハンドルパイプ１を内側に向けて曲げる。図２に示すように、この時、２つのハンドルパイプ１をフロントスタンドパイプ２と平行する位置まで曲げることができる。この際、フロントスタンドパイプ２の小型折りたたみパイプが大型折りたたみパイプの中に重なるように収縮され、ハンドルパイプ１の間の距離が変化する。サイド支持管１９には、回転スロット２６が設置され、サイド支持管１９の回転過程で、弾発部材２５がこのスロットに沿って移動しながら、折りたたみ動作が完成される。
【００２４】
また、歩行器の強度を強化するため、好ましくは、ハンドルパイプ１の両端の間にＵ型補強管２１を設置する。直管と比べて、このＵ型補強管２１は、断裂し難く、耐用年数を増やす。一般の歩行器と同じく、より便利に使用するため、好ましくは、調整管３の底部にゴムパッド２２およびゴムパッド内に内装されたユニバーサルボール２３を設置し、好ましくは、ユニバーサルボールを一体構造として設計し、その堅牢度を向上させる。
【００２５】
本考案は、上述した実施例に限定されるものではなく、本分野の技術者によって、本考案に各種変更を加えたものも含まれる。本考案の精神と原則に基づいて行った修正、同等な切替、改善なども、本考案の保護範囲に含まれる。
【符号の説明】
【００２６】
１  ハンドルパイプ
２  フロントスタンドパイプ
３  調整管
４  ギヤボックス
５  調整部材
６  位置決め穴
７  Ｃ状フラップ
８  可動部材
９  回転部品
１０  端子
１１  微調整ネジ
１２  微調整ナット
１３  接触バネ
１４  圧縮バネ
１５  投げ縄
１６  ボタン
１７  内部可動部材
１８  内部圧力部材
１９  サイド支持管
２０  フロント支持管
２１  Ｕ型補強管
２２  ゴムパッド
２３  ユニバーサルボール
２４  折りたたみ部品
２５  弾発部材
２６  回転スロット
【図１】
0003196955.tif 000003
【図２】
0003196955.tif 000004
【図３】
0003196955.tif 000005
【図４】
0003196955.tif 000006
【図５】
0003196955.tif 000007
【図６】
0003196955.tif 000008
【図７】
0003196955.tif 000009
【図８】
0003196955.tif 000010